(57)【特許請求の範囲】
【請求項１】
内周面に外輪軌道を有し、使用時にも回転しない外輪と、外周面の一端寄り部分に車輪を支持する為の取付フランジを、同じく他端寄り部分に直接又は内輪を介して内輪軌道を、中心部にスプライン孔を、それぞれ設けたハブと、このスプライン孔と係合するスプライン軸を一端部に設けると共に、他端部を等速ジョイントの外輪となるハウジング部とした駆動軸部材と、上記外輪軌道と上記内輪軌道との間に転動自在に設けた複数個の転動体とを備え、トリポード型等速ジョイントを介して上記ハウジング部に回転力を伝達される状態で使用される車輪駆動用車軸ユニットに於いて、上記スプライン軸の外周面に全周に亙って形成した内側係合部と、この内側係合部に整合する位置で上記ハブの内周面に全周に亙って形成した外側係合部と、止め輪と、上記ハブと上記駆動軸部材との間に設けてこれらハブと駆動軸部材との間にスラスト方向の弾力を付与する弾性部材とを備え、上記止め輪を上記内側係合部と外側係合部とに掛け渡す事により、上記ハブと駆動軸部材との軸方向に亙る位置決めを図ると共に、上記弾性部材により上記ハブと駆動軸部材との間に、走行時に上記トリポード型等速ジョイント部分で発生してこれらハブと駆動軸部材との間に加わるスラスト荷重よりも大きなスラスト荷重を付与しており、上記弾性部材は、上記駆動軸部材の中間部で、且つ、上記ハウジング部の外端部に外嵌固定した、全体を円環状に形成した芯金の円輪部の内径側部分に、内径側に向かう程軸方向外方に傾斜する傾斜部を形成すると共に、この円輪部よりも内径側部分の内周縁部に複数の切り欠きを、円周方向に亙り等間隔で形成する事により、これら各切り欠き同士の間部分に複数の舌片を形成して、上記円輪部よりも内径側の、上記傾斜部を含む部分に弾性を持たせる事により構成しており、更に、上記各舌片よりも外径側で、且つ、上記円輪部の外側面に、全体を円筒状に形成したシールリップを設けた事を特徴とする車輪駆動用車軸ユニット。
【発明の詳細な説明】
【０００１】
【発明の属する技術分野】
この発明に係る車輪駆動用車軸ユニットは、等速ジョイントとハブユニットとを分解可能に一体化した、所謂第四世代のハブユニットと呼ばれるもので、独立懸架式サスペンションに支持された駆動輪｛ＦＦ車（前置エンジン前輪駆動車）の前輪、ＦＲ車（前置エンジン後輪駆動車）及びＲＲ車（後置エンジン後輪駆動車）の後輪、４ＷＤ車（四輪駆動車）の全輪｝を、懸架装置に対して回転自在に支持すると共に、上記駆動輪を回転駆動する為に利用する。
【０００２】
【従来の技術】
車輪を懸架装置に対して回転自在に支持する為に、外輪と内輪とを転動体を介して回転自在に組み合わせた車軸ユニットが、各種使用されている。又、独立懸架式サスペンションに駆動輪を支持すると共に、この駆動輪を回転駆動する為の車輪駆動用車軸ユニットは、等速ジョイントと組み合わせて、デファレンシャルギヤと駆動輪との相対変位や車輪に付与された舵角に拘らず、駆動軸の回転を上記車輪に対して円滑に（等速性を確保して）伝達する必要がある。この様な等速ジョイントと組み合わせて、しかも比較的小型且つ軽量に構成できる、所謂第四世代のハブユニットと呼ばれる車輪駆動用車軸ユニットとして従来から、特開平７−３１７７５４号公報、或は米国特許第５６７４０１１号明細書に記載されたものが知られている。
【０００３】
図４は、このうちの特開平７−３１７７５４号公報に記載された、従来構造の第１例を示している。車両への組み付け状態で、懸架装置に支持されて回転しない外輪１は、外周面にこの懸架装置に支持する為の、外向フランジ状の取付部２を、内周面に複列の外輪軌道３、３を、それぞれ有する。上記外輪１の内側には、第一素子４と第二素子５とを組み合わせて成るハブ６を配置している。このうちの第一素子４は、外周面の一端寄り（図４の左端寄り）部分に車輪を支持する為の取付フランジ７を、同じく他端寄り（図４の右端寄り）部分に内輪軌道８を、それぞれ設けた円筒状に形成している。これに対して、上記第二素子５は、一端部（図４の左端部）を、上記第一素子４を外嵌固定する為の円筒部９とし、他端部（図４の右端部）を、ツェッパ型の等速ジョイント１０の外輪となるハウジング部１１とし、中間部外周面に内輪軌道８を設けている。そして、上記各外輪軌道３、３と上記各内輪軌道８、８との間にそれぞれ複数個ずつの転動体１２、１２を設ける事により、上記外輪１の内側に上記ハブ６を、回転自在に支持している。
【０００４】
又、上記第一素子４の内周面と上記第二素子５の外周面との互いに整合する位置には、それぞれ外側係止溝１３及び内側係止溝１４を形成すると共に、止め輪１５を、これら両係止溝１３、１４に掛け渡す状態で設ける事により、上記第一素子４が上記第二素子５から抜け出るのを防止している。更に、上記第二素子５の一端面（図４の左端面）外周縁部と、上記第一素子４の内周面に形成した段部１６の内周縁部との間に溶接１７を施して、上記第一、第二素子４、５同士を結合固定している。
【０００５】
更に、上記外輪１の両端開口部と上記ハブ６の中間部外周面との間には、ステンレス鋼板等の金属製で略円筒状のカバー１８、１８と、ゴムその他のエラストマー等の弾性材製で円環状のシールリング１９、１９とを設けている。又、上記第二素子５の中間部内側には、この第二素子５の内側を塞ぐ隔板部２０を設けている。これらカバー１８、１８、シールリング１９、１９及び隔板部２０は、上記複数の転動体１２、１２を設置した部分或は前記等速ジョイント１０部分と外部とを遮断し、当該部分に存在するグリースが外部に漏出するのを防止すると共に、この部分に雨水、塵芥等の異物が侵入する事を防止する。
【０００６】
又、上記等速ジョイント１０は、前記ハウジング部１１と、内輪２１と、保持器２２と、複数個の玉２３とから成る。このうちの内輪２１は、エンジンによりトランスミッションを介して回転駆動される、図示しない駆動軸の先端部に固定される。この内輪２１の外周面には、この内輪２１の中心軸に対し直交する仮想平面で切断した場合に於ける断面形状が円弧形である内側係合溝２４を６本、円周方向に亙り等間隔に、それぞれ円周方向に対し直角方向に形成している。又、上記ハウジング部１１の内周面で上記内側係合溝２４と対向する位置には、やはり円弧形の断面形状を有する外側係合溝２５を６本、円周方向に対し直角方向に形成している。又、上記保持器２２は、断面円弧状で全体を円環状に形成しており、上記内輪２１の外周面とハウジング部１１の内周面との間に挟持している。この保持器２２の円周方向６個所位置で、上記内側、外側両係合溝２４、２５に整合する位置には、それぞれポケット２６を形成し、これら各ポケット２６の内側にそれぞれ１個ずつ、合計６個の上記玉２３を保持している。これら各玉２３は、それぞれ上記各ポケット２６に保持された状態で、上記内側、外側両係合溝２４、２５に沿い転動自在である。
【０００７】
上述の様に構成する車輪駆動用車軸ユニットを車両に組み付ける際には、取付部２により外輪１を懸架装置に支持し、取付フランジ７により駆動輪を第一素子４に固定する。又、エンジンによりトランスミッションを介して回転駆動される、図示しない駆動軸の先端部を、等速ジョイント１０を構成する内輪２１の内側にスプライン係合させる。自動車の走行時には、上記内輪２１の回転を、複数の玉２３を介して第二素子５を含むハブ６に伝達し、上記駆動輪を回転駆動する。
【０００８】
又、図５は、前記米国特許第５６７４０１１号明細書に記載された、従来構造の第２例を示している。この従来構造の第２例の場合、懸架装置を構成するナックル４０に内嵌固定した状態で使用時に回転しない外輪１の内周面に、複列の外輪軌道３、３を設けている。ハブ６ａの外周面の一端寄り（図５の左端寄り）部分には車輪を支持する為の取付フランジ７を、同じく他端寄り（図５の右端寄り）部分には、１対の内輪５０、５０を介して複列の内輪軌道８、８を、それぞれ設けている。これら両内輪５０、５０は、上記ハブ６ａの他端部を直径方向外方に折り曲げて成るかしめ部２７により、このハブ６ａの本体部分に支持固定している。又、上記各外輪軌道３、３と上記各内輪軌道８、８との間には、それぞれ複数個ずつの転動体１２、１２を設けて、上記外輪１の内側に上記ハブ６ａを、回転自在に支持している。
【０００９】
又、このハブ６ａの中心部には、スプライン孔２８を設けている。更に、この様なハブ６ａと駆動軸部材２９とを組み合わせて、車輪駆動用車軸ユニットを構成している。この駆動軸部材２９の一端部には、上記スプライン孔２８と係合するスプライン軸３０を設けている。又、上記駆動軸部材２９の他端部は、等速ジョイントの外輪となるハウジング部１１としている。この様な駆動軸部材２９と上記ハブ６ａとは、上記スプライン孔２８に上記スプライン軸３０を挿入した状態に組み合わせ、上記両部材２９、６ａと凹凸係合した弾性材製の結合部材３１により、分離防止を図っている。尚、この結合部材３１には、磁性材製或は永久磁石製のエンコーダ３２、３２を添設して、上記両部材２９、６ａの回転速度検出を可能にしている。
【００１０】
又、図６は、実用新案登録第２５７３３２５号公報に記載された、従来構造の第３例を示している。この従来構造の第３例の場合には、車軸９２の端部で車軸管９３の端部から露出する部分に、ハブ６ｂをスプライン係合させている。又、このハブ６ｂは固定の外輪１ａの内側に、複列に配置した転動体により、回転自在に支持している。更に、上記車軸９２の先端部で上記ハブ６ｂから突出した部分に形成した係合溝９４に、欠円環状の止め輪１５ａを係止して、上記車軸９２から上記ハブ６ｂが抜け出る事を防止している。
【００１１】
又、図７は、米国特許第４８８１８４２号明細書に記載された、従来構造の第４例を示している。この従来構造の第４例の場合には、ナックル４０に固定した外輪１ｂの内側にハブ６ｃを、複列に配置した転動体により回転自在に支持している。そして、このハブ６ｃの中心部に形成したスプライン孔２８に、スプライン軸３０をスプライン係合させている。又、このスプライン軸３０の基端部（図７の右端部）には、等速ジョイントの外輪となるハウジング部１１を設けている。これに対して、上記スプライン軸３０の先端面（図７の左端面）には、このスプライン軸３０を上記スプライン孔２８に引き込む為の工具を係止する為の、係止部９５を形成している。そして、上記スプライン軸３０の外周面先端寄り部分に形成した係止溝に係止した止め輪１５ｂにより、このスプライン軸３０から上記ハブ６ｃが抜け出る事を防止している。この状態で、上記ハブ６ｃと上記ハウジング部１１との間で、弾性リング９６を弾性的に圧縮して、上記スプライン軸３０に対する上記ハブ６ｃのがたつき防止を図っている。
【００１２】
更に、図８は、米国特許第５４９２４１７号明細書に記載された、従来構造の第５例を示している。この従来構造の第５例の場合も、ナックル４０に固定した外輪１ｃの内側にハブ６ｄを、複列に配置した転動体により回転自在に支持している。この為にハブ６ｄに外嵌した内輪５０は、このハブ６ｄに係止した止め輪９７により、軸方向移動を阻止している。又、等速ジョイントを構成し、上記ハブ６ｄの内端部（図８の右端部）とスプライン係合したスリーブ９８の先端部（図８の左端部）が上記止め輪９７に被さって、この止め輪９７が上記ハブ６ｄから外れない様にしている。又、上記ハブ６ｄの内端部外周面と上記スリーブ９８の内周面との間には止め輪１５ｃを掛け渡して、このスリーブ９８から上記ハブ６ｄが抜け出るのを防止している。更に、このスリーブ９８の先端部外周面には歯車状の凹凸部９９を形成して、この部分がエンコーダとして機能する様にしている。そして、上記外輪１ｃにシールリング１００を介して支持した回転速度検出センサ１０１を、上記凹凸部９９に対向させて、上記スリーブ９８及びハブ６ｄの回転速度を検出自在としている。
【００１３】
【発明が解決しようとする課題】
図４に示した従来構造の第１例の場合、ハブ６を構成する第一、第二素子４、５同士の間での回転力伝達を、溶接１７部分で行なう必要がある。即ち、車輪を支持する第一素子４と、駆動軸に連結する第二素子５との間では、駆動の為の大きなトルクを伝達する必要があるが、これら両素子４、５同士は、互いの円筒面同士で嵌合している為、嵌合面で大きなトルクを伝達する事はできない。従って、上記溶接１７部分で大きなトルクを伝達する必要があり、この溶接１７部分の強度を十分に大きくすべく、この溶接１７を全周肉盛溶接にする必要がある。ところが、この溶接１７を全周肉盛溶接とした場合には、溶接時の熱で第一素子４の外周面に形成した内輪軌道８部分の形状が歪んだり、この内輪軌道８部分の硬度が低下したりして、この内輪軌道８を含む転がり軸受ユニットの耐久性を十分に確保できなくなる。
【００１４】
又、図５に示した従来構造の第２例の場合には、ハブ６ａと駆動軸部材２９との分離防止を、弾性材製の結合部材３１により行なっている為、分離防止の機能が不確実であると考えられる。即ち、自動車の急旋回時等には、車輪から上記ハブ６ａに加わる大きなスラスト荷重に基づき、このハブ６ａを上記駆動軸部材２９から引き抜く方向の大きな力が加わる。この様な大きな力にも拘らず、上記結合部材３１により上記ハブ６ａと駆動軸部材２９との分離防止を確実に図る事は難しく、十分な信頼性を確保できないものと考えられる。
【００１５】
又、図６に示した従来構造の第３例は、非独立懸架式サスペンションである、所謂半浮動式の構造に関するものである。この様な構造の場合には、トリポード型等速ジョイントが組み込まれず、走行時に車軸９２にスラスト荷重が繰り返し加わる事がない為、この車軸９２とハブ６ｂとのスプライン係合部の擦れ合いに基づく摩耗を防止する事に就いて考慮する必要はない。この様な従来構造の第３例は、独立懸架式サスペンションに支持された駆動輪を懸架装置に対して回転自在に支持する事を前提としている本発明とは、基本構造が全く異なる。
【００１６】
又、図７に示した従来構造の第４例の場合には、運転時に発生するスラスト荷重に拘らず、スプライン軸３０とハブ６ｃとのスプライン係合部の軸方向変位を防止する為の機構が設けられていない。この為、運転時にトリポード型等速ジョイント部分で発生し、ハウジング部１１から上記スプライン軸３０に繰り返し且つ交互に逆方向に加わるスラスト荷重に基づき、弾性リング９６が変形し、上記スプライン係合部が摺動運動をする。この結果、このスプライン係合部の摩耗が進み、耐久性が損なわれる為、好ましくない。
【００１７】
更に、図８に示した従来構造の第５例の場合には、止め輪と取付部との間に軸方向の隙間が存在する。そして、この隙間に基づく、スプライン係合部の軸方向変位を防止する為の機構を設けていない為、このスプライン係合部の摩耗防止を図れない。更に、上記第５例の場合には、スプライン係合部を、外輪１ｃの内端開口部よりも更に内方に突出した部分に設けている為、車輪駆動用車軸ユニット全体の軸方向寸法が嵩み、小型且つ軽量な構造を実現できない。
本発明の車輪駆動用車軸ユニットは、上述の様な不都合を解消し、スプライン係合部の摩耗を防止して十分な耐久性を図るべく発明したものである。
【００１８】
【課題を解決するための手段】
本発明の車輪駆動用車軸ユニットは、前述の図５に示した従来構造の第２例の車輪駆動用車軸ユニットと同様に、内周面に外輪軌道を有し、使用時にも回転しない外輪と、外周面の一端寄り部分に車輪を支持する為の取付フランジを、同じく他端寄り部分に直接又は内輪を介して内輪軌道を、中心部にスプライン孔を、それぞれ設けたハブと、このスプライン孔と係合するスプライン軸を一端部に設けると共に、他端部を等速ジョイントの外輪となるハウジング部とした駆動軸部材と、上記外輪軌道と上記内輪軌道との間に転動自在に設けた複数個の転動体とを備える。そして、トリポード型等速ジョイントを介して、上記ハウジング部に回転力を伝達される状態で使用される。
【００１９】
特に、本発明の車輪駆動用車軸ユニットに於いては、上記スプライン軸の外周面に全周に亙って形成した内側係合部と、この内側係合部に整合する位置で上記ハブの内周面に全周に亙って形成した外側係合部と、止め輪と、上記ハブと上記駆動軸部材との間に設けてこれらハブと駆動軸部材との間にスラスト方向の弾力を付与する弾性部材とを備える。そして、上記止め輪を上記内側係合部と外側係合部とに掛け渡す事により、上記ハブと駆動軸部材との軸方向に亙る位置決めを図ると共に、上記弾性部材により上記ハブと駆動軸部材との間に、走行時に上記トリポード型等速ジョイント部分で発生してこれらハブと駆動軸部材との間に加わるスラスト荷重よりも大きなスラスト荷重を付与している。
又、本発明の場合には、上記弾性部材は、上記駆動軸部材の中間部で、且つ、上記ハウジング部の外端部に外嵌固定した、全体を円環状に形成した芯金の円輪部の内径側部分に、内径側に向かう程軸方向外方に傾斜する傾斜部を形成すると共に、この円輪部よりも内径側部分の内周縁部に複数の切り欠きを、円周方向に亙り等間隔で形成する事により、これら各切り欠き同士の間部分に複数の舌片を形成して、上記円輪部よりも内径側の、上記傾斜部を含む部分に弾性を持たせる事により構成している。更に、上記各舌片よりも外径側で、且つ、上記円輪部の外側面に、全体を円筒状に形成したシールリップを設けている。
【００２０】
【作用】
上述の様に構成する本発明の車輪駆動用車軸ユニットの場合には、駆動軸部材とハブとの間のトルク伝達は、スプライン軸とスプライン孔との係合に基づいて行なう。従って、これら駆動軸部材とハブとの間のトルク伝達を確実に行なわせるべく、全周肉盛溶接等、熱歪み等の原因となる加工を施す必要がなくなり、内輪軌道を含む転がり軸受ユニット各部の耐久性確保を図れる。
特に、本発明の場合、上記駆動軸部材とハブとの分離防止は、内側、外側両係合部と止め輪とにより図れる。上記止め輪は、金属等、十分な強度を有する材料により造れる為、上記分離防止を確実にできて、車輪駆動用車軸ユニットの信頼性確保を図れる。
又、本発明の構造は、ナットによる締結、或は溶接による結合とは異なり、スプライン係合部に軸方向の摺動運動が生じる可能性があるが、これに対応して、弾性部材により、ハブと駆動軸部材との間に、走行時にトリポード型等速ジョイント部分で発生して、これらハブと駆動軸部材との間に繰り返し加わるスラスト荷重よりも大きなスラスト荷重を付与している。この為、これらハブと駆動軸部材とが、上記トリポード型等速ジョイント部分で発生する、交互に方向が変化するスラスト荷重に基づき、頻繁に軸方向に相対変位する事がない。この為、上記摺動運動の発生を防止して、このスプライン係合部の摩耗を防止できる、この結果、このスプライン係合部を含む、上記車輪駆動用車軸ユニットの耐久性の向上を図れる。
【００２１】
【発明の実施の形態】
図１〜３は、本発明の実施の形態の１例を示している。懸架装置に支持した状態で回転しない外輪１は、外周面にこの懸架装置に支持する為の取付部２を、内周面に複列の外輪軌道３、３を、それぞれ有する。そして、上記外輪１の内径側にハブ６ａを、この外輪１と同心に配置している。又、このハブ６ａの外周面で上記各外輪軌道３、３に対向する部分に、それぞれ内輪軌道８、８を、直接又は別体の内輪５０を介して設けている。この内輪５０は、上記ハブ６ａの本体部分の内端（車両への組み付け状態でこの車両の幅方向中央寄りとなる端で、図１の右端）部に形成した段部３３に外嵌すると共に、上記本体部分の内端で上記内輪５０の内端面よりも突出した部分を直径方向外方にかしめ広げる事で形成したかしめ部２７により、上記本体部分に対し固定している。
【００２２】
そして、上記各外輪軌道３、３と上記各内輪軌道８、８との間に、それぞれ複数個ずつの転動体１２、１２を転動自在に設ける事により、上記外輪１の内側に上記ハブ６ａを、回転自在に支持している。又、上記外輪１の両端部内周面と、上記ハブ６ａの本体部分の中間部外周面及び上記内輪５０の内端部外周面との間に、それぞれシールリング１９、１９を設けて、上記各転動体１２、１２を設置した部分と外部空間とを遮断している。又、上記ハブ６ａの外端開口部にキャップ３４を嵌合固定して、この外端開口部を塞ぎ、外端部側から、後述するスプライン係合部に雨水等の異物が侵入するのを防止している。又、上記ハブ６ａの外端（車両への組み付け状態でこの車両の幅方向外寄りとなる端で、図１の左端＝請求項に記載した一端）部外周面に、このハブ６ａに車輪を支持固定する為の取付フランジ７を、このハブ６ａと一体に設けている。
【００２３】
又、このハブ６ａの中心部に、スプライン孔２８を設けている。更に、この様なハブ６ａと駆動軸部材２９とを組み合わせて、車輪駆動用転がり軸受ユニットを構成している。又、この駆動軸部材２９の一端部である外端部に、上記スプライン孔２８と係合するスプライン軸３０を設けている。又、上記駆動軸部材２９の他端部である内端部は、ツェッパ型の等速ジョイントの外輪となるハウジング部１１としている。又、このハウジング部１１の内端部外周面には、図示しない防塵用ブーツの外端部を係止する為の係止溝３９を形成している。
【００２４】
特に、本発明の車輪駆動用車軸ユニットに於いては、上記スプライン軸３０の外端寄りの外周面に全周に亙って、請求項に記載した内側係合部に相当する、内側係止溝１４を形成している。又、上記スプライン孔２８の外端寄り中間部内周面で、この内側係止溝１４に整合する位置に、請求項に記載した外側係合部に相当する、段部４３若しくは図示しない外側係止溝を、全周に亙り形成している。そして、これら内側係止溝１４と段部４３（若しくは図示しない外側係合溝。以下同じ。）との間に、図２に示す様な欠円環状の止め輪３５を、これら内側係止溝１４と段部４３との間に掛け渡す状態で装着している。
【００２５】
上記止め輪３５は、ばね鋼、ステンレスばね鋼等の弾性金属製の線材を略Ｃ字形の欠円環状に形成する事により、直径を弾性的に拡縮自在としている。この様な止め輪３５の自由状態での外径Ｄ35は、上記スプライン孔２８の最大内接円（スプライン孔２８の歯先円）の直径Ｒ28以上としている。又、上記内側係止溝１４の溝底の直径Ｒ14、及び、上記段部４３を境として上記スプライン孔２８と反対側部分の円筒面部３７の内径Ｒ37は、上記止め輪３５が上記内側係止溝１４と段部４３との間に掛け渡される様に規制している。即ち、上記内側係止溝１４の溝底の直径Ｒ14は、上記スプライン孔２８の最大内接円の直径Ｒ28から、上記止め輪３５を構成する線材の直径ｄ35の２倍を引いた値以下（Ｒ14≦Ｒ28−２ｄ35）としている。この様な規制は、上記止め輪３５を上記内側係止溝１４の底部にまで押し込んだ状態で、上記スプライン軸３０をこの止め輪３５ごと上記スプライン孔２８内に挿入自在とする為に必要である。又、上記円筒面部３７の内径Ｒ37は、上記スプライン軸３０の最大外接円（スプライン軸３０の歯先円）の直径Ｄ30に、上記止め輪３５を構成する線材の直径ｄ35の２倍を足した値未満（Ｒ37＜Ｄ30＋２ｄ35）としている。この様な規制は、上記止め輪３５の直径が弾性的に広がった状態で、この止め輪３５の内周縁部と上記内側係止溝１４とを係合させる為に必要である。従って、好ましくは、上記止め輪３５の外周縁と上記円筒面部３７の内周面とが当接した状態で、上記止め輪３５が上記スプライン孔２８とスプライン軸３０との係合部の直径方向中央位置に存在する様に、上記円筒面部３７の内径Ｒ37を規制する。
【００２６】
上記内側係止溝１４、円筒面部３７、及び止め輪３５の寸法を上述の様に規制する為、この止め輪３５を内側係止溝１４部分に装着した状態で、上記スプライン軸３０を上記スプライン孔２８に挿入すれば、前記ハブ６ａと前記駆動軸部材２９とを不離に結合できる。即ち、これらハブ６ａと駆動軸部材２９とを結合する際には、上記止め輪３５を内側係止溝１４部分に装着した状態で上記スプライン軸３０を上記スプライン孔２８に、内側から外側に、図１の右から左に挿入する。この挿入作業により上記止め輪３５は、前記かしめ部２７の内周面並びに上記スプライン孔２８の内端部に隣接して設けた円すい凹面状のガイド面３６に案内されつつ、外径を弾性的に縮め、上記スプライン孔２８内に押し込まれる。そして、上記内側係止溝１４と前記段部４３とが整合した状態で、上記止め輪３５の直径が、この止め輪３５の外周縁と上記円筒面部３７の内周面とが当接する状態にまで、弾性的に広がる。そして、この様に止め輪３５の直径が弾性的に広がった状態では、この止め輪３５が上記内側係止溝１４と段部４３との間に掛け渡された状態になって、上記スプライン軸３０が上記スプライン孔２８から抜け出る事を防止し、上記ハブ６ａと上記駆動軸部材２９とを不離に結合する。尚、上記ハブ６ａの軸方向に対する上記ガイド面３６の傾斜角度は、上記止め輪３５がこのガイド面３６部分を円滑に通過できる様にすべく、３０度以下にするのが好ましい。又、好ましくは、上記スプライン軸３０と上記スプライン孔２８との係合部に、増ちょう剤がウレア化合物、基油が合成油で、優れた耐熱性能を有するウレア系のグリースを塗布する等により、潤滑剤を介在させて、これらスプライン軸３０とスプライン孔２８との係合部を潤滑する。
【００２７】
尚、上記内側係止溝１４の幅Ｗは、上記止め輪３５を構成する線材の直径ｄ35以上にする必要があるが、これら幅Ｗと直径ｄ35との差は、極力小さくする。この理由は、上記内側係止溝１４と止め輪３５とによる結合部のがたつきを抑える為である。
【００２８】
又、本例の場合には、駆動軸部材２９の中間部、即ち、ハウジング部１１の外端部に、エンコーダ部４４を備えた芯金６９を外嵌固定して、この駆動軸部材２９の回転速度を検出自在としている。この芯金６９は、ばね鋼（ＳＫ５等の工具鋼を含む）製の板材にプレス加工及び曲げ加工を施すと共に、全体を焼き入れ硬化する事で造っており、円筒部４５と円輪部４６とを有する断面略Ｌ字形で、全体を円環状に形成している。この様な芯金６９は、上記円筒部４５を上記ハウジング部１１の外端部に締り嵌めで外嵌する事により、上記駆動軸部材２９に固定している。又、上記円筒部４５には、それぞれが軸方向（図１の左右方向）に長いスリット状の透孔４７を、円周方向に亙って等間隔に多数形成している。従って、上記円筒部４５の外周面の磁気特性は、円周方向に亙って交互に、且つ等間隔で変化している。即ち、本例の場合、この円筒部４５の外周面を、上記エンコーダ部４４としている。車両への組み付け状態で上記円筒部４５の外周面であるエンコーダ部４４には、懸架装置等の固定部分に支持したセンサ４８の検知部を近接対向させて、車輪と同期して回転する、上記駆動軸部材２９の回転速度を検出自在とする。又、上記円輪部４６は、上記ハウジング部１１の外端面に当接させている。
【００２９】
又、本例の場合、上記芯金６９を構成する円輪部４６の内径側部分に、内径側に向かう程軸方向外方に傾斜する傾斜部６６を形成する事により、この円輪部４６よりも内径側の部分を軸方向外方に突出させている。更に、図３に示す様に、上記円輪部４６よりも内径側部分の内周縁部に複数の切り欠き６７、６７を、円周方向に亙り等間隔で形成する事により、これら各切り欠き６７、６７同士の間部分に複数の舌片９０、９０を形成して、上記円輪部４６よりも内径側の、上記傾斜部６６を含む部分に十分な弾性を持たせている。そして、この様に形成した円輪部４６よりも内径側部分の先端部、即ち、上記各舌片９０、９０の先端部を、かしめ部２７の端面に弾性的に突き当てる事により、スプライン軸３０がスプライン孔２８に対して、図１に示した状態よりも左方に変位する事を阻止している。本例の場合には、上記芯金６９が、請求項に記載した弾性部材に相当し、前記ハブ６ａと駆動軸部材２９のハウジング部１１とに、互いに離れる方向の弾力を付与している。これにより、これらスプライン軸３０とスプライン孔２８との軸方向に亙るがたつきを防止している。尚、この状態で、上記各舌片９０、９０には、図示しない変速機側（図１の右側）に組み込まれる、やはり図示しないトリポード型等速ジョイントの軸方向摺動抵抗（数百Ｎ＝数１０kgf ）以上の予圧荷重を付加している。これにより、この摺動抵抗に基づいて運転時に、上記ハウジング部１１を含むツェッパ型の等速ジョイントにスラスト方向（図１の左右方向）の荷重が繰り返し付加された場合にも、上記スプライン軸３０と上記スプライン孔２８との係合部が軸方向に摺動しない様にして、この係合部に摩耗が発生する事を防止している。
【００３０】
尚、組み立て時に上記各舌片９０、９０に過大な荷重が付加された場合、例えば、これら各舌片９０、９０がハブ６ａと駆動軸部材２９との間に挟まれて平坦になるまで撓まされた場合でも、これら各舌片９０、９０の内部に発生する応力が許容応力を越えない様に設計して、これら各舌片９０、９０が破損等しない様にしている。即ち、これら各舌片９０、９０の内部に発生する応力は、これら各舌片９０、９０が平坦に撓まされるまでの変位量が大きい程大きくなるので、この様に平坦になるまで撓まされた時の変位量が２〜３mm以下の値に抑えられる様に、各部の寸法を決めている。又、上記円輪部４６の外側面には、ゴムの如きエラストマー等の弾性材により全体を円筒状に形成したシールリップ６８の内端部を、接着若しくは焼き付け等により結合固定している。これと共に、このシールリップ６８の先端縁である外端縁を、内輪５０の内端面に全周に亙り弾性的に当接させる事により、ハウジング部１１の外端面と上記かしめ部２７の端面との間をシールしている。
【００３１】
上述の様に構成し組み立てる、本発明の車輪駆動用車軸ユニットの場合には、上記駆動軸部材２９とハブ６ａとの間のトルク伝達は、上記スプライン軸３０とスプライン孔２８とのスプライン係合に基づいて行なう。従って、上記駆動軸部材２９とハブ６ａとの間のトルク伝達を確実に行なわせるべく、全周肉盛溶接等、熱歪み等の原因となる加工を施す必要がなくなる。この為、上記ハブ６ａの本体部分の中間部外周面に形成した内輪軌道８を含む転がり軸受ユニット各部の耐久性確保を図れる。又、上記駆動軸部材２９とハブ６ａとの分離防止は、内側係止溝１４及び段部４３と止め輪３５との係合により図れる。欠円環状に形成したこの止め輪３５は、ばね鋼、ステンレスのばね鋼等、十分な強度を有する金属材料により造れる為、上記分離防止を確実にできて、車輪駆動用車軸ユニットの信頼性確保を図れる。
【００３２】
又、前記芯金６９の内周縁部に設けた舌片９０、９０により上記ハブ６ａを、前記トリポード型等速ジョイントの軸方向抵抗に基づき上記駆動軸部材２９に加わるスラスト荷重よりも大きなスラスト荷重で押圧する事により、上記段部４３を上記止め輪３５に押し付けている。従って、上記軸方向抵抗に基づくスラスト荷重に拘らず、上記スプライン軸３０とスプライン孔２８とが擦れ合う事がなく、これらスプライン軸３０の外周面及びスプライン孔２８の内周面の摩耗防止を図れる。更に、上記駆動軸部材２９とハブ６ａとの間にシールリップ６８を設け、前記キャップ３４と共に、上記スプライン軸３０とスプライン孔２８とのスプライン係合部を外部空間から遮断し、しかも、このスプライン係合部に潤滑剤であるグリースを塗布介在させているので、このスプライン係合部に、フレッチング等により著しい摩耗が発生する事を、より確実に防止できる。
【００３３】
【発明の効果】
本発明は、以上に述べた通り構成され作用するので、小型且つ軽量で、しかも優れた耐久性及び信頼性を有する車輪駆動用車軸ユニットを実現して、自動車の乗り心地及び動力性能、燃費性能の向上に寄与できる。又、運転時に構成部材同士が衝突する事を防止できて、異音並びに振動、更にはフレッチング摩耗が発生するのを防止し、車輪駆動用車軸ユニットを組み込んだ自動車の快適性向上と、車輪駆動用車軸ユニット自体のより一層の耐久性向上とを図れる。
【図面の簡単な説明】
【図１】  本発明の実施の形態の１例を示す半部断面図。
【図２】  止め輪を図１の側方から見た図。
【図３】  芯金及びシールリップの一部を図１の左側から見た図。
【図４】  従来構造の第１例を示す部分断面図。
【図５】  同第２例を示す半部断面図。
【図６】  同第３例を示す断面図。
【図７】  同第４例を示す断面図。
【図８】  同第５例を示す断面図。
【符号の説明】
１、１ａ、１ｂ、１ｃ  外輪
２    取付部
３    外輪軌道
４    第一素子
５    第二素子
６、６ａ、６ｂ、６ｃ、６ｄ  ハブ
７    取付フランジ
８    内輪軌道
９    円筒部
１０    等速ジョイント
１１    ハウジング部
１２    転動体
１３    外側係止溝
１４    内側係止溝
１５、１５ａ、１５ｂ、１５ｃ  止め輪
１６    段部
１７    溶接
１８    カバー
１９    シールリング
２０    隔板部
２１    内輪
２２    保持部
２３    玉
２４    内側係合溝
２５    外側係合溝
２６    ポケット
２７    かしめ部
２８    スプライン孔
２９    駆動軸部材
３０    スプライン軸
３１    結合部材
３２    エンコーダ
３３    段部
３４    キャップ
３５    止め輪
３６    ガイド面
３７    円筒面部
３９    係止溝
４０    ナックル
４３    段部
４４    エンコーダ部
４５    円筒部
４６    円輪部
４７    透孔
４８    センサ
５０    内輪
６６    傾斜部
６７    切り欠き
６８    シールリップ
６９    芯金
９０    舌片
９２    車軸
９３    車軸管
９４    係合溝
９５    係止部
９６    弾性リング
９７    止め輪
９８    スリーブ
９９    凹凸部
１００    シールリング
１０１    回転速度検出センサ
【図１】
0004352535.tif 000002
【図２】
0004352535.tif 000003
【図３】
0004352535.tif 000004
【図４】
0004352535.tif 000005
【図５】
0004352535.tif 000006
【図６】
0004352535.tif 000007
【図７】
0004352535.tif 000008
【図８】
0004352535.tif 000009